【事件の表示】
　特許第３２３９３５２号「ジャー炊飯器」の請求項１に係る特許に対する特許異議の申立てについて、次のとおり決定する。
【結　論】
　訂正を認める。
　特許第３２３９３５２号の請求項１に係る特許を維持する。
【理　由】
〔１〕本件特許及び本件特許異議事件についての手続の経緯
　本件特許及び本件特許異議事件（特許第３２３９３５２号（以下「本件特許」という。）異議申立て）に係る手続の経緯の概要は、以下のとおりである。
１) 本件特許の出願日：平成７年９月１３日
２) 特許権の設定の登録：平成１３年１０月１２日
３) 特許掲載公報の発行：平成１３年１２月１７日
４) 特許異議の申立て(全請求項)（異議申立人・タイガー魔法瓶株式会社）：平成１４年６月１７日付け
５) 証人尋問申請書：平成１４年６月１７日付け
６) 検証申出書：平成１４年６月１７日付け
７) 検証物指示説明書：平成１４年１０月１１日付け
８) 口頭審理陳述要領書（特許権者）：平成１４年１１月１３日付け
９) 証拠調べ（検証、証人尋問）：平成１４年１１月２７日
10) 口頭審理：平成１４年１１月２７日
11) 取消理由通知：平成１４年１１月２７日付け（発送日：同年１２月６日）
12) 特許異議意見書（特許権者）：平成１５年１月２４日付け
13) 訂正請求：平成１５年１月２４日付け
〔２〕訂正事項と訂正の適否についての判断
１．本件平成１５年１月２４日付け訂正請求は、以下の事項について訂正するものである。
(ア)特許請求の範囲の記載を、下記のとおりとする。
「請求項１
　本体外殻を形成する外枠と、この外枠にヒンジ装置により取付けられ前記外枠の上部開口部を開閉する蓋体と、前記ヒンジ装置と反対側で前記外枠の
上部
前記外枠の前側にある
、前記本体内の前側に各々設けられた制御回路を構成する電源基板および表示基板と
前記凹み部の上部に段部が形成され、前記クランプボタンの内側に先端が常に前記段部の上側に位置する突片が形成され、クランプボタンの上部に後退する方向の力を作用させるコイルばねが、前記段部および前記突片よりも下方に位置しているとともに、
(イ)上記訂正後の特許請求の範囲の記載と関連した、明細書の発明の詳細な説明の、段落０００５、段落０００６、段落００２３、段落００４６、および「符号の説明」中の記載を訂正する。
　　
２．そこで、訂正事項について検討すると、請求項１の訂正は、凹み部およびクランプボタンの位置を特定し、ジャー炊飯器の本体に制御回路を構成する電源基板および表示基板を具備する構成に特定し、さらに、凹み部の上部に段部が形成され、クランプボタンの内側に先端が常に段部の上側に位置する突片が形成され、クランプボタンの上部に後退する方向の力を作用させるコイルばねが、段部および突片よりも下方に位置しているという構成に特定するものであり、「発明の詳細な説明」および「符号の説明」中の記載の訂正は、この訂正された請求項１の記載と整合するようにしたものであると認められるので、本件訂正は、全体として特許法第１２０条の４第２項ただし書第１号所定の特許請求の範囲の減縮に該当する。
　そのうえ、訂正事項は、願書に添付した明細書および図面に記載されたものであって、実質上特許請求の範囲を拡張し又は変更するものでもないので、同条第３項で準用する第１２６条第２項及び第３項の規定にも適合する。
  したがって、本件訂正はこれを認める。
　
〔３〕特許異議申立てについての判断
１．本件発明は、訂正された明細書及び図面の記載からみて、その特許請求の範囲の請求項１に記載されたとおりのものである（上記〔２〕１．(ア)）。
　
２．特許異議申立人の異議申立ての理由は、本件請求項１に係る発明は、その出願の日前に日本国内で製造販売されたシャープ株式会社製ＫＳ‐ＹＧ１８‐Ｃ型の電子ジャー炊飯器」と同一、またはこれに基づき当業者が容易に発明できたものであるから、特許法第２９条第１項または第２項の規定に該当し、その特許は取り消されるべきである、というにある。
　そこで当審では、平成１４年１１月２７日に、特許庁審判廷において、異議申立人が申し立てた検甲第１号証に係る「シャープ株式会社製ＫＳ‐ＹＧ１８‐Ｃ型の電子ジャー炊飯器」（以下「検証物」という。）について検証するとともに、異議申立人が申請した証人大神健治および、在廷証人として山中肇の２名を尋問し、その結果、検証物は、全体形状・構造として、本体外殻を形成する外枠、この外枠にヒンジ装置により取付けられ外枠の上部開口部を開閉する蓋体、ヒンジ装置と反対側で外枠の外側に設けられた凹み部、この凹み部に設けられた少なくとも２個の穴部、この穴部に嵌合して備えられたクランプボタンとを備えており、クランプボタンに設けられた爪部と蓋体に設けられた爪部とを係合して外枠の上部開口部を塞ぐ構成であり、凹み部の全ての穴部が外枠を外側から内側へ貫通していないこと、を確認し、さらに上記各証人に対する尋問の結果をふまえて、平成１４年１１月２７日付けで、「本件請求項１に係る発明は、平成１４年１１月２７日に実施した検証（検甲第１号証）及び証人尋問（証人：大神健治、山中肇）によって、本件特許の出願前に日本国内において公然知られた発明であると認められる。したがって、本件請求項１に係る発明は、特許法第２９条第１項第１号に該当し、特許をうけることができないものである。」旨の取消理由を通知した（発送日：平成１４年１２月６日）
　
３．これに対して、特許権者は、平成１５年１月２４日付けで訂正請求書を提出するとともに、同日付けで提出した特許異議意見書において、訂正後の請求項１に記載されたジャー炊飯器は、検証物と下記の相違点１および相違点２において相違し、下記の発明の効果を奏する旨主張する。
（相違点１）
　検証物は、凹み部４５’の内面に設けられた２個の穴部４６’の全てが、外枠５’の内側まで貫通していないものの、この大部４６’に嵌合するクランプボタン４７’と同じ外枠５’の前側に位置して、ジャー炊飯器の本体内がどのような内部構成になっているのか明確でない。本件発明は、外枠の上部外側に凹み部が設けられる一方で、それよりも下方の本体内の前側に位置して、制御回路を構成する電源基板および表示基板が各々設けられており、双方の構成が明確に相違する。
（相違点２）
　検証物は、凹み部４５’とクランプボタン４７’との間には、クランプボタン４７’の上部に後退する方向の力を作用させるためのコイルばね５１’が介在しているものの、コイルばね５１’は凹み部４５’の底面に形成された断面Ｕ字状の収納部に、その上側を開放した状態で設けられているだけで、凹み部４５’の上部やクランプボタン４７’の内側には、本件発明でいうような異物の侵入を防止するための段部や突片は形成されておらず、これらの段部や突片およびコイルばね５１’との位置関係について、検甲第１号証には何も開示がない点。
（発明の効果）
　本件発明は、凹み部の上部に段部を形成する一方で、クランプボタンの内側にある突片の先端を段部の上側に位置させることで、クランプボタンと外枠との間から異物が入り込んだとしても、異物は互いに重なり合う突片や段部の上に留まって、コイルばねのある凹み部の下部にまで達することはなく、前述の穴部を外枠の内側へ貫通させないことと相俟って、本体内部の電源基板や表示基板に対する水の侵入を確実に防止することができる。
　
４．そこで、これらの点について検討すると、検証物のものは、訂正請求によって特定された「凹み部の上部に段部が形成され、前記クランプボタンの内側に先端が常に前記段部の上側に位置する突片が形成され、クランプボタンの上部に後退する方向の力を作用させるコイルばねが、前記段部および前記突片よりも下方に位置している」という構成を具備している点が明らかでない。そして、かかる構成に基づき上記特許権者の主張する効果が奏せられるものと認められる。
　なお、特許異議申立人は、特許権者の平成１５年１月２４日付け訂正請求書および意見書に対して、平成１５年２月１２日付け上申書（ＦＡＸで提出）において、「特許権者（東芝ホームテクノ株式会社）が提出した平成１５年１月２４日付け「特許異議意見書」および「訂正請求書」を検討いたしましたが、いぜんとして平成１４年１１月２７日の特許庁異議廷において異議申立人が陳述、立証した理由により、特許第３２３９３５２号に係る請求項１記載の発明はその特許を取消されるべきであると考えます。」と言うのみで、検証物が、訂正請求によって付加された発明の構成を具備するか否か、また、両者に相違点がある場合に、その相違点が、当業者において容易になし得る程度のことである根拠についても、何ら主張・立証をしていない。
　これらを考慮すれば、本件請求項１に係る発明が、検証物に係る発明であるとすることはできず、さらに検証物に係る発明に基づいて当業者が容易に発明をすることができたものであるとすることもできない。
　
〔４〕まとめ
　以上によれば、特許異議申立人の主張する申立ての理由及び提出した証拠方法によっては、本件特許を取り消すことはできない。また、ほかに本件特許を取り消すべき理由を発見しない。
　よって、結論のとおり決定する。
【異議決定日】
平成１５年２月２８日（２００３．２．２８）
【訂正の要旨】
ａ．特許第３２３９３５２号発明の明細書中、特許請求の範囲の請求項１において、「外枠の外側に設けられた凹み部」とあるのを、特許請求の範囲の減縮を目的として、「外枠の
上部
ｂ．特許第３２３９３５２号発明の明細書中、特許請求の範囲の請求項１において、「この穴部に嵌合して備えられたクランプボタン」とあるのを、特許請求の範囲の減縮を目的として、「この穴部に嵌合して備えられ
前記外枠の前側にある
ｃ．特許第３２３９３５２号発明の明細書中、特許請求の範囲の請求項１における「クランプボタンとを備え」の「と」と、「を」との間に、特許請求の範囲の減縮を目的として、「
、前記本体内の前側に各々設けられた制御回路を構成する電源基板および表示基板と
ｄ．特許第３２３９３５２号発明の明細書中、特許請求の範囲の請求項１における「備え、このクランプボタンに設けられた爪部」の「え、」と、「この」との間に、特許請求の範囲の減縮を目的として、「
前記凹み部の上部に段部が形成され、前記クランプボタンの内側に先端が常に前記段部の上側に位置する突片が形成され、クランプボタンの上部に後退する方向の力を作用させるコイルばねが、前記段部および前記突片よりも下方に位置しているとともに、
ｅ．特許請求の範囲の記載と発明の詳細な説明の記載との整合を図るため、特許第３２３９３５２号発明の明細書中、明細書の段落番号【０００５】第４〜６行目にある「前記ヒンジ装置と反対側で前記外枠の外側に設けられた凹み部と、この凹み部に設けられた少なくとも２個の穴部と、この穴部に嵌合して備えられたクランプボタンとを備え、このクランプボタンに設けられた爪部」という記載を、明りょうでない記載の釈明を目的として、「前記ヒンジ装置と反対側で前記外枠の
上部
前記外枠の前側にある
前記本体内の前側に各々設けられた制御回路を構成する電源基板および表示基板と
前記凹み部の上部に段部が形成され、前記クランプボタンの内側に先端が常に前記段部の上側に位置する突片が形成され、クランプボタンの上部に後退する方向の力を作用させるコイルばねが、前記段部および前記突片よりも下方に位置しているとともに、
ｆ．特許請求の範囲の記載と発明の詳細な説明の記載との整合を図るため、特許第３２３９３５２号発明の明細書中、明細書の段落番号【０００６】第１〜４行目にある「外枠の外側の凹み部において、クランプボタンの組付けなどのために設けられた穴部は、外枠の内側までは貫通していないので、穴部を伝って水が外から本体内部に侵入することはない。したがって、穴部の内側において、外枠とは別体のパッキンや遮蔽板などによる防水処理も不要である。」という記載を、明りょうでない記載の釈明を目的として、「外枠の
上部
外枠の前側にある
前側に制御回路を構成する電源基板や表示基板を各々設けた
また、クランプボタンに形成した突片が凹み部の段部上に常に位置するようにしたので、かりに突片ないし段部の上側に異物が入ったとしても、この異物が、コイルばねのある凹み部の下部まで侵入することは防止できる。
ｇ．特許請求の範囲の記載と発明の詳細な説明の記載との整合を図るため、特許第３２３９３５２号発明の明細書中、明細書の段落番号【００２３】第１〜７行目にある「外枠５の凹み部４５内に形成したクランプボタン４７の取付け用の穴部４６は、外枠５を外側から内側までは貫通しないものとし、クランプボタン４７の材料を弾性変形可能な合成樹脂にして、このクランプボタン４７の軸部４８を前記凹み部４５内の穴部４６に無理嵌めしたので、クランプボタン４７の弾性力により、その軸部４８が穴部４６から容易に外れることはなく、また、従来のようにクランプボタンの軸部の取付け用の貫通孔から本体内部に水が侵入することがない。」という記載を、明りょうでない記載の釈明を目的として、「外枠５
の上部外側にある
外枠５の前側にある
、前側に制御回路を構成する電源基板８２や表示基板８４を各々設けた
ｈ．特許請求の範囲の記載と発明の詳細な説明の記載との整合を図るため、特許第３２３９３５２号発明の明細書中、明細書の段落番号【００４６】第１〜４行目にある「クランプボタンを組付ける凹み部の全ての穴部は、外枠を外側から内側へ貫通していない構成としたので、本体内部への水の侵入を防止できるとともに、穴部の内側での防水処理が不要になることから、クランプボタンの取付け構造を簡素化でき、組立性を改善できる。」という記載を、明りょうでない記載の釈明を目的として、「
外枠の前側にある
前側に制御回路を構成する電源基板や表示基板を各々設けた
さらに、コイルばねのある凹み部の下部まで異物が侵入することを防止できる。
ｉ．特許請求の範囲の記載と発明の詳細な説明の記載との整合を図るため、特許第３２３９３５２号発明の明細書中、符号の説明にある「　５０　受け爪部　（爪部）」という記載の後に、明りょうでない記載の釈明を目的として、「
　５１　コイルばね
　５２　段部
　５３　突片
　８２　電源基板
　８４　表示基板
ｊ．特許第３２３９３５２号発明の明細書中、明細書の段落番号【０００９】第５〜６行目にある「炊飯ヒータ１２」と、明細書の段落番号【００１９】第５行目にある「保温のなどの」と、明細書の段落番号【００１９】第９行目にある「表示基板６８」を、いずれも誤記の訂正を目的として、それぞれ「炊飯ヒータ
１６
温な
８４
（５４）【発明の名称】
ジャー炊飯器
（５７）【特許請求の範囲】
　【請求項１】　本体外殻を形成する外枠と、この外枠にヒンジ装置により取付けられ前記外枠の上部開口部を開閉する蓋体と、前記ヒンジ装置と反対側で前記外枠の
上部
前記外枠の前側にある
、前記本体内の前側に各々設けられた制御回路を構成する電源基板および表示基板と
前期凹み部の上部に段部が形成され、前期クランプボタンの内側に先端が常に前期段部の上側に位置する突片が形成され、クランプボタンの上部に後退する方向の力を作用させるコイルばねが、前記段部および前記突片よりも下方に位置しているとともに、
【発明の詳細な説明】
　【０００１】
　【発明の属する技術分野】
　本発明は、ジャー炊飯器に係わり、特に、蓋体を閉じた状態に保持するクランプ装置を備えたジャー炊飯器に関する。
　【０００２】
　【発明が解決しようとする課題】
　従来、この種のジャー炊飯器において、クランプボタンは、外枠の一部にこの外枠の外側から内側へ貫通する貫通孔を設け、この貫通孔に、クランプボタンに設けた軸部を嵌合させることにより、外枠に回動自在に取り付けていた。しかし、この従来の構造では、貫通孔と軸部との間に生じたわずかな隙間を通って、外枠内に水が侵入するおそれがある。そして、万一水が侵入したときには、例えば外枠内でクランプボタンのすぐ下方に制御回路基板が備えられているような場合、この制御回路基板に水がかかるなどの危険性がある。
　【０００３】
　そこで、このような危険性を回避するために、外枠の貫通孔の内側に、水の侵入を防止するパッキンや水の遮蔽板を設けたりしていたが、この従来の構造では、部品点数が多くなり、また、組立が複雑になる問題があった。
　【０００４】
　本発明は、このような問題点を解決しようとするもので、クランプボタンの取付け構造を簡素化し、組立性を改善するとともに、本体内部への水の侵入を防止できるジャー炊飯器を提供することを目的とする。
　【０００５】
　【課題を解決するための手段】
　本発明のジャー炊飯器は、前記目的を達成するために、本体外殻を形成する外枠と、この外枠にヒンジ装置により取付けられ前記外枠の上部開口部を開閉する蓋体と、前記ヒンジ装置と反対側で前記外枠の
上部
前記外枠の前側にある
、前記本体内の前側に各々設けられた制御回路を構成する電源基板および表示基板と
前記凹み部の上部に段部が形成され、前記クランプボタンの内側に先端が常に前記段部の上側に位置する突片が形成され、クランプボタンの上部に後退する方向の力を作用させるコイルばねが、前記段部および前記突片よりも下方に位置しているとともに、
　【０００６】
　この構成により、外枠の
上部
外枠の前側にある
前側に制御回路を構成する電源基板や表示基板を各々設けた
また、クランプボタンに形成した突片が凹み部の段部上に常に位置するようにしたので、かりに突片ないし段部の上側に異物が入ったとしても、この異物が、コイルばねのある凹み部の下部まで侵入することは防止できる。
　【０００７】
　【発明の実施形態】
　以下、本発明のジャー炊飯器の第１実施例について、図１から図６を参照しながら説明する。全体の断面図である図１において、１は器本体、２はこの器本体１内に着脱自在に収容される有底筒状の容器たるアルミニウム材料からなる鍋、３はこれら器本体１および鍋２の上部開口部たる上面開口を開閉自在に覆う蓋体である。器本体１は、下面を開口した外枠５と、この外枠５の下面開口に取り付けられた底板６と、内枠側部部材たる筒状の第１の内枠７と、この第１の内枠７の下面開口を塞ぐように配置された内枠底部部材たる第２の内枠８などにより構成されている。本体外殻を形成する前記外枠５および底板６は、ポリプロピレンなどからなっている。また、前記第１の内枠７および第２の内枠８は、ともにアルミニウム材料からなり、外枠５内に組み付けられ、器本体１の内周の内枠を形成するものである。ここで、第２の内枠８は、その外周部が第１の内枠７に下からテーパ嵌合している。そして、鍋２の外側面と第１の内枠７の内周面との間には０．５ｍｍ以上の隙間が設けられる。また、第１の内枠７の材料厚さは０．５〜１．０ｍｍであり、第１の内枠７の表面には１〜８μｍの厚さでアルマイト被膜が形成されている。一方、第２の内枠８の材料厚さは０．５〜１．０ｍｍであり、第２の内枠８の表面には０．５〜５μｍの厚さでアルマイト被膜が形成されている。なお、アルマイト被膜はなくてもよい。また、図５にも示すように、第２の内枠８は、上方へ膨出した凸状部９を中心部に有しているとともに、平坦部１０を外周側に有しているが、これら凸状部９と平坦部１０との間には、上方へ膨出した段部１１が形成されている。また、凸状部９の上面部には開口孔１２が形成されている。さらに、第１の内枠７の上面外周部には、鍋２の上部に形成されたフランジ状の取手部１３が載る弾性体からなるブレーキブッシュ１４が設けられている。すなわち、鍋２は、第１の内枠７の上面外周部に吊り下げられて、内枠７，８内に収容される構成になっている。また、前記底板６の下面には凹部からなる取手部１５（図６に図示）が設けられている。
　【０００８】
　１６は、鍋２を輻射熱により加熱する加熱手段である炊飯ヒータで、この炊飯ヒータ１６は、シーズ式のヒータをリング状に加工したものである。そして、この炊飯ヒータ１６は、第２の内枠８の外周部の平坦部１０上に設けられた磁器部材からなるヒータ台１７により、第２の内枠８と離れた状態で取付け固定される。炊飯ヒータ１６を第２の内枠８の平坦部１０上に設けているのは、炊飯ヒータ１６からの輻射熱を効率よく上方の鍋２の底へ反射させるためである。なお、炊飯ヒータは、アルミニウムブロックにシーズヒータを鋳造した熱板式のヒータであってもよい。
　【０００９】
　一方、第２の内枠８の下方には、鋼板製の遮熱板たる支え板１８が空間を形成しつつ設けてある。この支え板１８は、第２の内枠８に類似した形状を有し、この第２の内枠８の凸状部９、平坦部１０、段部１１および開口孔１２にそれぞれ対応する凸状部９ａ、平坦部１０ａ、段部１１ａおよび開口孔１２ａを有している。そして、この支え板１８は、第２の内枠８の下側のほぼ全体を覆うようにして設けられており、炊飯ヒータ
１６
　【００１０】
　なお、２７は底板６の後側下部に設けられるコードリール、２８は外枠５と第１の内枠７との間に立設する筒状の金属製の横遮熱板である。
　【００１１】
　前記蓋体３は、蓋体上面を形成する外蓋３１と、この外蓋３１の下方に空間を形成しつつ設けられた外蓋カバー３２と、この外蓋カバー３２の下方に設けられた蓋体下面を形成する放熱板３３とにより構成され、さらに、放熱板３３の下方には、鍋２の上面開口を塞ぐ内蓋３４が着脱自在に設けられる。外蓋３１および外蓋カバー３２は、いずれもポリプロピレンなどの合成樹脂にて成形されるとともに、放熱板３３はアルミニウム板の表面をアルマイト処理して成形される。また、放熱板３３の下方にはスタッド３５が加締めにより取付けられており、このスタッド３５に内蓋３４の中心部に設けた弾性を有するシリコーンゴムからなる内蓋押え３６が装着される。３７は、内蓋３４の適所に形成された複数の蒸気通路である。また、３８は外蓋カバー３２と放熱板３３との間に挾んで保持された円環状の蓋パッキンであり、蓋体３の閉塞時に、蓋パッキン３８の下端が鍋２の取手部１３に密着する。
　【００１２】
　蓋体３は、ヒンジ装置４１により外枠５の上側に回動自在に軸支されている。このヒンジ装置４１は、外枠５の上部後側および外蓋カバー３２の後部を連結する左右方向のヒンジシャフト４２からなる。このヒンジシャフト４２には、ねじりコイルばねからなるヒンジばね４３が設けられており、このヒンジばね４３は、蓋体３を開く方向の力を常時作用させるものである。
　【００１３】
　一方、ヒンジ装置４１と反対側すなわち前側には、蓋体３を閉じた状態に保持するクランプ装置４４が設けられている。このクランプ装置４４の組付けのために、図２および図３にも示すように、外枠５の上部外側には凹み部４５が形成されており、この凹み部４５の左右両側の内壁面には穴部４６が相対向させてそれぞれ形成されているが、これら穴部４６は、外枠５をその外側から内側までは貫通していない。他にも、凹み部４５には、外枠５を外側から内側まで貫通する貫通孔はない。そして、凹み部４５内にはクランプボタン４７が嵌合させて組付けられている。このクランプボタン４７は、その左右両側の外壁面に凸状の軸部４８がそれぞれ形成されており、これら軸部４８が前記凹み部４５の両穴部４６にそれぞれ嵌合されていることにより、外枠５に回動自在に軸支されている。なお、両穴部４６への両軸部４８部の嵌め込みは、クランプボタン４７を弾性変形させることによる無理嵌めであり、その弾性変形を可能とするために、クランプボタン４７の材料としては合成樹脂のポリプロピレンが選定されている。また、クランプボタン４７の上部には凸状の係止爪部４９が形成されている。一方、蓋体３の外蓋カバー３２にも、クランプボタン４７の係止爪部４９に対応する位置に凸状の受け爪部５０が形成されている。さらに、クランプボタン４７の内部には、外枠５の凹み部４５において、クランプボタン４７に対してその上部が後退する方向の力を作用させるコイルばね５１が備えてある。そして、蓋体３を閉じると、その受け爪部５０の上側にクランプボタン４７の係止爪部４９が前から係合し、かつ、この係合状態がコイルばね５１により保持されることにより、ヒンジばね４３の作用に抗して蓋体３が外枠５の上面開口を塞いだ状態に保持されるようになっている。一方、クランプボタン４７の下部を後方へ押すと、コイルばね５１の作用に抗して、クランプボタン４７の係止爪部４９が蓋体３の受け爪部５０から外れ、ヒンジばね４３の作用により蓋体３が開くものである。
　【００１４】
　なお、凹み部４５の上部には段部５２が形成されており、一方、クランプボタン４７の内側には、先端が常に前記段部５２の上側に位置する突片５３が形成されている。特に、係止爪部４９が後退した状態で、突片５３の先端は段部５２上に接するようになっている。前記コイルばね５１は、突片５３および段部５２よりも下方に位置している。
　【００１５】
　蓋体３の後部には、この蓋体３の上下を連通し、鍋２内で発生する蒸気を外部に放出させるための蒸気口５６が設けられている。この蒸気口５６は、そのほぼ水平な上面を形成する合成樹脂製の蒸気口カバー５７と、前記外蓋カバー３２に一体に形成された開口筒部５８と、放熱板３３に嵌着されたパッキンを兼ねるゴム製の蒸気口下部体５９とにより構成されている。なお、蒸気口カバー５７と開口筒部５８との間および開口筒部５８と蒸気口下部体５９との間にはそれぞれパッキン６０，６１が設けられている。
　【００１６】
　蒸気口カバー５７の外周部寄りには、図４にも示すように、一ないし複数の蒸気放出部たる蒸気通路孔６２が形成されている。この蒸気通路孔６２は、上から見たときに少ない開口面積になるように、水平面に対して傾斜した状態で上向きに開口しているが、その傾斜を形成するために、蒸気口カバー５７には、蒸気通路孔６２の下側から蒸気口カバー５７の上面に至る傾斜面６３が形成されている。さらに、蒸気口カバー５７における傾斜面６３の最下部すなわち蒸気通路孔６２に隣接する部分には、傾斜面６３にほぼ垂直に立ち上がった縦壁部６４が形成されている。なお、前記蒸気口カバー５７は、耐熱性、耐スチーム性に優れた合成樹脂材料であるポリプロピレンからなるが、本実施例のように、外蓋３１および外蓋カバー３２と別体にする他、外蓋３１または外蓋カバー３２と一体に形成してもよい。
　【００１７】
　また、前記蒸気口下部体５９には、蒸気通路孔６６を形成する蒸気筒６７が、垂直に上へ立てて一体に形成されているとともに、蒸気筒６７よりも外周側に、蒸気口５６に溜まったおねばや水を排出するおねば戻し孔６８が形成されている。
　【００１８】
　７１は、放熱板３３の裏側つまり上面側に備えた保温用の蓋ヒータで、この蓋ヒータ７１は、両面粘着テープ（図示せず）で接着されるアルミ箔７２と放熱板３３との間にコード状の発熱体を介在させて構成される。また、蓋ヒータ７１の上方で外蓋３１および外蓋カバー３２間には、前記蒸気口５６の近傍に配置したグラスウール製の断熱材７３が設けられている。７６は、保温用のコードヒータなどからなる胴ヒータであり、この胴ヒータ７６は、電気的には前記蓋ヒータ７１と並列回路を構成している。胴ヒータ７６は、接着されたアルミ箔７７により、第１の内枠７の外側面に取付け固定されている。なお、７８は、第１の内枠７の上部に設けられた一対の温度ヒューズである。
　【００１９】
　器本体１内の前側には、外枠５と横遮熱板２８との間に、電源基板支え８１に支持された電源基板８２と、表示基板支え８３に支持された表示基板８４とが各々設けられている。両基板支え８１，８２は互いに固定してあって、両基板８２，８４は、基板組立としてユニット化されているが、この基板組立は、縦形すなわちほぼ鉛直に器本体１内に収容してある。炊飯および保
温な
８４
　【００２０】
　ところで、図６に示すように、前述のように内枠７，８の内底部に備えられた炊飯ヒータ１６は、１本のシーズヒータをリング状に成形してなるものであるが、この炊飯ヒータ１６への給電用の２か所の端子部９６は、互いに近接して位置しているとともに、前記基板８２，８４側に極力近い位置に配置されている。また、第１の内枠７の外周面に設けられた前記胴ヒータ７６の両端子部９７も、互いに近接して位置しているとともに、前記基板８２，８４側に極力近い位置に配置されている。炊飯ヒータ１６および胴ヒータ７６の端子部９６，９７付近は非発熱部である。
　【００２１】
　つぎに、前記の構成について、その作用を説明する。鍋２内に米および水を収容して炊飯を開始すると、炊飯ヒータ１６が通電されて鍋２を加熱する。また、蓋ヒータ７１および胴ヒータ７６も通電されて、蓋ヒータ７１が蓋体３の放熱板３３を加熱するとともに、胴ヒータ７６が第１の内枠７を加熱する。ヒータ１６，７１，７６の通断電は、温度センサ２１により検出される鍋２の温度などに応じて制御される。炊飯加熱行程は、ひたし炊き行程、沸騰加熱行程、沸騰継続加熱行程の順でなされる。所定時間行われるひたし炊き行程は、予備的な加熱で、沸騰加熱行程は、その後の沸騰検出までの強い連続的な加熱である。その際の沸騰検出は、例えば、鍋２の温度上昇の勾配が所定の勾配まで低下したことを検出することによる。また、沸騰継続加熱行程は、沸騰を必要な時間継続させるもので、炊き上がりの検出により終了する。炊き上がりの検出は、例えば、鍋２の温度が所定温度まで上昇したことを検出することによる。さらに、炊き上がりの検出後、所定時間のむらし炊き行程が行われて、炊飯加熱行程が終了する。その後は、保温加熱工程に移行し、蓋ヒータ７１および胴ヒータ７６の加熱により鍋２の温度が所定温度に保持される。
　【００２２】
　特に、むらしを含めた炊飯時、鍋２内に発生した蒸気は、内蓋３４の蒸気通路３７から蒸気口下部体５９の蒸気筒６７内に侵入し、蒸気口５６内の空間部６９を通って、蒸気口カバー５７の蒸気通路孔６２から外部に排出される。
　【００２３】
　前記実施例の構成によれば、外枠５の
上部外側にある
外枠５の前側にある
、前側に制御回路を構成する電源基板８２や表示基板８４を各々設けた
　【００２４】
　また、クランプボタン４７に形成した突片５３が凹み部４５の段部５２上に常に位置するようにしたので、かりに突片５３ないし段部５２の上側にご飯粒などの異物が入ったとしても、この異物が、コイルばね５１のある凹み部４５の下部まで侵入することは防止できる。
　【００２５】
　さらに、ヒンジ装置４１がクランプ装置４４とともに外枠５に一体的に構成されているので、ヒンジ装置４１およびクランプ装置４４の寸法を精度よく確保できる。
　【００２６】
　ところで、炊きむらを低減するために、沸騰初期における鍋２の加熱を連続的に強加熱で行うジャー炊飯器では、沸騰初期および沸騰の後に、蒸気口から重湯が吹きこぼれる危険性が高くなる。これに対して、本実施例のジャー炊飯器では、蒸気口５６の上面の開口面積すなわち蒸気通路孔６２の開口面積を大きくして、吹きこぼれを抑制している。吹きこぼれを抑制するには、蒸気通路孔の開口面積をかなり大きくしなければならないが、かりに蒸気通路孔が水平のままその開口面積を極端に大きくしたとすると、蒸気口内に上方から塵埃が入りやすくなるなどの問題が生じる。これに対して、前記実施例では、蒸気通路孔６２を傾斜状態にし、上から見たときの蒸気通路孔６２の平面面積が小さくなるようにしたので、塵埃の侵入を防止できる。
　【００２７】
　ところが、蒸気通路孔６２を傾斜状態にするために、蒸気口カバー５７には、蒸気通路孔６２の下側から蒸気口カバー５７の上面に至る傾斜面６３が形成されることになるため、もしかりにこの傾斜面６３がそのまま蒸気通路孔６２まで通じていたとすると、炊飯中またはむらし中に発生した蒸気が蒸気通路孔６２から出た後、傾斜面６３に沿って流れることになるので、この傾斜面６３に蒸気が多量に結露しやすく、蒸気口５６付近が汚れやすくなる。また、露が付着した状態で蓋体３を開けると、器本体１の後側へ露が流れ落ちて、この器本体１の後部を汚したり、最悪の場合、床を汚してしまうようなおそれがある。
　【００２８】
　これに対して、前記実施例においては、蒸気口カバー５７における傾斜面６３の最下部すなわち蒸気通路孔６２に隣接する部分に、傾斜面６３にほぼ垂直に立ち上がった縦壁部６４を形成したので、蒸気通路孔６２から放出された蒸気は、縦壁部６４により遮られて傾斜面６３から離れて流れることになる。したがって、この傾斜面６３に結露して付着する露の量が少なくなり、蒸気口５６付近が汚れにくくなる。これとともに、蓋体３を開けたときに、蒸気口５６から器本体１の後側へ露が流れ落ちることも防止でき、この器本体１の後部や床を汚してしまう不具合も防止できる。こうして、清掃性が改善される。
　【００２９】
　ところで、炊飯や保温の動作を制御する制御回路の信頼性を高めるには、炊飯時の制御回路の基板の温度を低く抑えることが有効であり、従来より、基板に対して遮熱板などを設けて温度上昇を抑制する構造が採られている。しかし、温度上昇の抑制のために専用の部品を設けるのでは、部品点数が多くなり、そのために組立性の悪化もきたす。特に、外観性の向上のために、本体外面からほとんど出っ張ることなく操作パネルを設けたジャー炊飯器にあっては、操作パネルに対応する基板を本体の内部に収納する必要があるため、この基板がヒータにより近く位置することになり、さらに温度上昇が大きくなる不具合がある。
　【００３０】
　これに対して、前記実施例の構成によれば、炊飯ヒータ１６および胴ヒータ７６をその端子部９６，９７が基板８２，８４側に極力近くなるように配置したことにより、炊飯時における基板８２，８４の温度上昇を効率よく低減でき、制御回路の信頼性を向上できる。すなわち、炊飯ヒータ１６をなすシーズヒータの表面温度は、端子部９６側では非発熱部があることにより低くなる。逆に、端子部９６の反対側は表面温度が高くなり、輻射熱量も多くなる。この傾向は、コード状のヒータである胴ヒータ７６でも同じである。したがって、ヒータ１６，７６の端子部９６，９７側を基板８２，８４側に配置することにより、ヒータ１６，７６の輻射熱による基板８２，８４の温度上昇を抑制できる。そして、このように基板８２，８４の温度上昇を抑制しながら、操作パネル９１の出っ張りを極力少なくできるので、外観性を向上できる。
　【００３１】
　また、端子部９６，９７とこれらが接続される電源基板８２とが互いに近くなるので、配線用のリード線も短くでき、配線処理を簡素化できる。これとともに、遮熱板などを減らせることとあいまって、組立性を向上できる。
　【００３２】
　さらに、前記実施例の構成によれば、内枠７，８は、その側面部を構成する第１の内枠７と底面部を構成する第２の内枠８とに分割し、これら両者を組合わせて一体化することにより有底筒状の内枠７，８全体を構成するので、第２の内枠８に炊飯ヒータ１６などを予め組込んでおき、その後で、第２の内枠８を第１の内枠７に組込むことができ、組立性が向上する。また、鍋２を第１の内枠７の上部に吊り下げて収容することにより、第２の内枠８には鍋２の荷重が加わらなくなることから、第２の内枠８の強度はあまり必要でなくなり、したがって、材料厚さを薄くできる利点もある。
　【００３３】
　しかし、もしかりに第２の内枠が従来のように段部１１のない平板的なものであったとすると、第１の内枠７に組込んだ後は問題ないが、組込み前に予め炊飯ヒータ１６を第２の内枠に組込む際や、部品の運搬時に第２の内枠が変形するおそれがある。そのため、第２の内枠は、完成後の製品においては、強度があまり要らないにもかかわらず、単に組立上の対応として材料厚さを比較的厚くしなければならないことになる。
　【００３４】
　しかしながら、前記実施例の構成によれば、第２の内枠８において、炊飯ヒータ１６を取付ける外周側の平坦部１０と、温度センサ２１が入る中心部の凸状部９との間に段部１１を形成したことにより、第２の内枠８の強度が向上する。すなわち、アルミニウム材料からなる第２の内枠８をプレス加工により成形する際、アルミニウム材料は、加工硬化により強度が上がる。そのため、段部１１がない場合には、第２の内枠８の材料厚さを０．７〜１．５ｍｍ前後にしなければならなかったのを、０．５〜１．０ｍｍ程度に薄くしても、また、表面のアルマイト被膜を従来の１〜８μｍから０．５〜５μｍ程度に薄くして表面強度を弱くしても、さらには、アルマイト被膜がなくても、第２の内枠８を器本体１に組込む前に、第２の内枠８に炊飯ヒータ１６や温度センサ２１を組込むに際して、十分な強度を得られ、組立性もよい。なお、前記数値範囲の幅は、製品の型の違いなどによるもので、他の条件が同じならば、例えば、従来０．７ｍｍであったのを０．５ｍｍに薄くできるとの意味である。もちろん、第２の内枠８の材料厚さを薄くできることは、軽量化をもたらし、部品運搬時の取扱いも容易になるとともに、炊飯器全体の重量を低減できる。
　【００３５】
　さらに、段部１１の分、温度センサ２１用の凸状部９の成形高さが低くなるので、アルミニウム材料をプレス加工する際の絞り率が小さくなり、加工性が改善される。しかも、段部１１は、炊飯時の鍋２の加熱に影響のない部分にあり、第２の内枠８による反射によっても鍋２を加熱できるので、この鍋２の加熱に支障をきたすことがなく、良好な炊飯性能を確保できる。
　【００３６】
　なお、支え板１８についても、段部１１ａがあることから、同様の作用効果が得られる。
　【００３７】
　図７は、本発明のジャー炊飯器の第２実施例を示すもので、前記第１実施例と対応する部分には、同一符号を付してその説明を省略する。本第２実施例は、アルミニウム材料からなる遮熱部材たる内枠遮熱板１０１を第２の内枠８上に嵌合して設けたものである。この内枠遮熱板１０１は、ほぼリング状になっているが、炊飯ヒータ１６の外径よりも外径が大きくなっているとともに、炊飯ヒータ１６の内径よりも内径が小さくなっており、炊飯ヒータ１６と第２の内枠８との間に介在している。なお、本実施例では、碍石からなるヒータ台１７の部分を回避するようにして内枠遮熱板１０１を設けているが、第２の内枠上に内枠遮熱板を介してヒータ台を設け、内枠遮熱板を全周に渡って設けてもよい。また、内枠遮熱板は局部的に設けてもよい。
　【００３８】
　１０２は炊飯ヒータ１６と隔離した状態で、炊飯ヒータ１６の上方を覆うようにして設けられたヒータプレートであり、これはアルミニウム板によりほぼ円環状に形成されている。そして、鍋２を器本体１内に収容した状態では、ヒータプレート１０２の上面に鍋２の底面最下部が載置され、炊飯ヒータ１６により加熱されたヒータプレート１０２の熱が鍋２の底部に伝導される。そして、前記内枠遮熱板１０１の外径は、ヒータプレート１０２の外径よりも小さくなっている。また、１０３は、ヒータプレート１０２を常に鍋２側の上方へ付勢するコイルばねである。このコイルばね１０３は、鍋２を器本体１内に収容したときに、ヒータプレート１０２の上方への弾性力により、常時ヒータプレート１０２を鍋２に押し当てる構成になっている。ヒータプレート１０２の組立ては、第２の内枠８の上側から、ヒータプレート１０２の下方に突出するその支持部材１０４を、第２の内枠８および支え板１８に共通して設けられた抜孔１０５，１０６に挿通し、第２の内枠８の下方側から、コイルばね１０３および金属製のサポート部材１０７を支持部材１０４に装着して行なわれる。このサポート部材１０７は、底板６に固定され、支持部材１０４を介してヒータプレート１０２を可動に支持する。
　【００３９】
　炊飯ヒータ１６により加熱されて内枠７，８は高温になり、特に炊飯ヒータ１６の直下にある第２の内枠８は高温になるが、内枠遮熱板１０１があるために、炊飯ヒータ１６から第２の内枠８への熱伝導速度が鈍化するので、この第２の内枠８の温度上昇を抑制できる。これにより、第２の内枠８の耐熱温度を越えることを防止でき、第２の内枠８の劣化を抑制できる。
　【００４０】
　また、このように第２の内枠８が高温になることを抑制できることにより、この第２の内枠８と嵌合している第１の内枠７が高温になることも抑制できる。したがって、使用者が万一誤って炊飯中や保温中に鍋２を取り出し、内枠７，８を清掃しようとすることがあったとしても、第１の内枠７の温度が高温になっていないことにより、火傷の危険性が少なくなる。
　【００４１】
　また、第２の内枠８の高温化が抑制されることにより、この第２の内枠８からの放熱や、第２の内枠８から支え板１８、サポート部材１０７へと伝導される熱量も減少するので、このサポート部材１０７と接する部分や炊飯ヒータ１６の直下部分における外枠５の温度も低下する。したがって、何らかの事故で異常加熱が生じたような場合、合成樹脂製の外枠５であっても、熱により溶ける危険性がなくなり、安全性が向上する。
　【００４２】
　また、外枠５が金属製の場合、同様にこの外枠５の高温化が抑制されることにより、ジャー炊飯器を移動などさせるときに、外枠５に手などが触れても、あまり熱さを感じずに済み、安全性が向上する。
　【００４３】
　さらに、横遮熱板２８と外枠５との間の隙間から、電源基板８２や表示基板８４へ移動する熱量を低減できるので、半田などで基板８２，８４に固定してある抵抗やサイリスタやコンデンサなどの電装部品の温度も低下させられ、これら電装部品の寿命の短縮を抑制でき、炊飯器全体としての製品寿命も延ばせる。
　【００４４】
　なお、以上のような内枠遮熱板１０１を設けたことによる作用効果は、第２実施例のようにヒータプレート１０２を設けた場合のみならず、前記第１実施例のようにヒータプレートのない場合でも同様である。
　【００４５】
　さらに、本発明は、前記実施例に限定されるものではなく、本発明の要旨の範囲内において種々の変形実施が可能である。例えば、前記実施例のジャー炊飯器は、鍋の加熱手段が輻射加熱式のシーズヒータであったが、電磁誘導加熱によって鍋を加熱するものであってもよい。
　【００４６】
　【発明の効果】
　本発明によれば、
外枠の前側にある
前側に制御回路を構成する電源基板や表示基板を各々設けた
さらに、コイルばねのある凹み部の下部まで異物が侵入することを防止できる。
【図面の簡単な説明】
　【図１】
　本発明のジャー炊飯器の第１実施例を示す断面図である。
　【図２】
　同上クランプ付近の分解斜視図である。
　【図３】
　同上クランプ付近の断面図である。
　【図４】
　同上図１の蒸気口付近の拡大図である。
　【図５】
　同上図１の炊飯ヒータ付近の拡大図である。
　【図６】
　同上底板部分を除いた概略底面図である。
　【図７】
　本発明のジャー炊飯器の第２実施例を示す断面図である。
　【符号の説明】
　　３　蓋体
　　５　外枠
　４１　ヒンジ装置
　４５　凹み部
　４６　穴部
　４７　クランプボタン
　４９　係止爪部（爪部）
　５０　受け爪部（爪部）
　５１　コイルばね
　５２　段部
　５３　突片
　８２　電源基板
　８４　表示基板